(57)【要約】      （修正有）【課題】手のひらのツボを刺激しながらストレッチ運動でき、且つ、コンパクトで持ち運び可能な健康促進用ストレッチ器具を提供する。【解決手段】断面が略楕円形状の円柱であって、使用時に使用者の手に保持されるグリップ部１１と、長手方向に伸縮可能な紐部材１２とを有し、紐部材１２は、２つのグリップ部１１の一端を連結し、グリップ部１１は、使用者の手に接触する表面であって、グリップ部１１の円柱面に複数の凸部を備える、ことを特徴とする。【選択図】図１
0003198487.tif 000002
【実用新案登録請求の範囲】
【請求項１】
断面が略楕円形状の円柱であって、使用時に使用者の手に保持されるグリップ部と、
長手方向に伸縮可能な紐部材と
を有し、
前記紐部材は、２つの前記グリップ部の一端を連結し、
前記グリップ部は、前記使用者の手に接触する表面であって、該グリップ部の円柱面に複数の凸部を備える、
ことを特徴とする健康促進用ストレッチ器具。
【請求項２】
前記グリップ部は、他端に前記凸部を更に有する、ことを特徴とする、請求項１に記載の健康促進用ストレッチ器具。
【請求項３】
前記凸部は、略円錐形状である、ことを特徴とする、請求項１又は請求項２に記載の健康促進用ストレッチ器具。
【考案の詳細な説明】
【技術分野】
【０００１】
本考案は、手のひらのツボを刺激しながらストレッチ運動でき、且つ、コンパクトで持ち運び可能な健康促進用ストレッチ器具に関する。
【背景技術】
【０００２】
パイプ製の健康器具などは重量もあり、形も大きいことから収納場所を必要とし、持ち運びが困難である。特許文献１では、両手で握ることのできる筒と、この筒に通した伸縮性を有する紐束と、紐束両端にそれぞれ設けられたリングと各リング部を着脱可能に連結する連結体とにより構成され、紐束は柱などの固定物に回して、両足を固定物につけた状態で両手で筒を握って背筋、腹筋運動するストレッ体操具に関する技術を開示している。特許文献２では、伸張性と弾性を有する素材で組成した紐状体３本を三つ編みにした本体の中間に、本体に沿って移動可能な緩衝材と指圧の効果を有する突起物を２つ取り付けたことを特徴とする健康促進用ストレッチ器具に関する技術を開示している。
【先行技術文献】
【特許文献】
【０００３】
【特許文献１】特開２００７−２１１６０号公報
【特許文献２】登録実用新案第３０９６５６４号公報
【考案の概要】
【考案が解決しようとする課題】
【０００４】
しかしながら、特許文献１に開示されている技術では、紐束を柱などの固定物に固定し、両足をつけた状態で運動するため、ストレッチできる場所が限定される場合がある。また、特許文献１及び特許文献２には、手のひらのツボを刺激しながらストレッチ運動できる技術に関する記載がない。
【０００５】
本考案は、コンパクトで持ち運び可能な健康促進用ストレッチ器具であって、手のひらのツボを刺激しながらストレッチ運動できる健康促進用ストレッチ器具を提供することを目的とする。
【課題を解決するための手段】
【０００６】
上記課題を解決するために、本考案の一つの実施形態は、断面が略楕円形状の円柱であって、使用時に使用者の手に保持されるグリップ部と、長手方向に伸縮可能な紐部材とを有し、前記紐部材は、２つの前記グリップ部の一端を連結し、前記グリップ部は、前記使用者の手に接触する表面であって、該グリップ部の円柱面に複数の凸部を備える、ことを特徴とする健康促進用ストレッチ器具を提供する。
【０００７】
本考案の他の実施形態は、上記の健康促進用ストレッチ器具であって、前記グリップ部は、他端に前記凸部を更に有する、ことを特徴とする健康促進用ストレッチ器具であってもよい。
【０００８】
本考案の他の実施形態は、上記のいずれか１つの健康促進用ストレッチ器具であって、前記凸部は、略円錐形状である、ことを特徴とする健康促進用ストレッチ器具であってもよい。
【考案の効果】
【０００９】
本考案に係る健康促進用ストレッチ器具によれば、手のひらのツボを刺激しながらストレッチ運動でき、且つ、コンパクトで持ち運びすることができる。また、本考案に係る健康促進用ストレッチ器具によれば、コンパクトで持ち運びすることができるので、疲労度に応じて必要なときに必要なだけストレッチをすることができる。また、本考案に係る健康促進用ストレッチ器具によれば、グリップ部の他端の凸部を用いて、足の裏のツボを刺激することができる。
【図面の簡単な説明】
【００１０】
【図１】本考案の実施形態に係る健康促進用ストレッチ器具の一例を説明する説明図である。
【図２】本考案の実施形態に係る健康促進用ストレッチ器具のグリップ部の一例を示す平面図である。
【図３】本考案の実施形態に係る健康促進用ストレッチ器具のグリップ部の一例を示す正面図である。
【図４】本考案の実施形態に係る健康促進用ストレッチ器具のグリップ部の一例を示す左側面図である。
【図５】本考案の実施形態に係る健康促進用ストレッチ器具の凸部の例を示す拡大図である。
【図６】本考案の実施例に係る健康促進用ストレッチ器具の例を示す説明図である。
【図７】本考案の実施例に係る健康促進用ストレッチ器具の使用状態の例を示す説明図である。
【図８】本考案の実施例に係る健康促進用ストレッチ器具の使用状態の他の例を示す説明図である。
【考案を実施するための形態】
【００１１】
実施形態および実施例に係る健康促進用ストレッチ器具の例を用いて、本考案を説明する。なお、本考案は、以後に説明する健康促進用ストレッチ器具以外でも、使用者の手に保持される２つのグリップ部と長手方向に伸縮可能な紐部材とを用いてストレッチ（体を伸縮・回転・屈伸運動）するもの（部品、部材、装置、アプリケーション、システム、商品、製品など）であれば、いずれのものにも用いることができる。なお、健康促進用ストレッチ器具の素材、色、形状は、特に限定されない。健康促進用ストレッチ器具の色は、透明、半透明、色付きのものであってもよい。健康促進用ストレッチ器具の色は、例えば使用者（消費者）の趣味趣向に合わせた柄のものであってもよい。
【００１２】
以後に、本考案を説明する。
【００１３】
図１乃至図５を用いて、本考案の実施形態に係る健康促進用ストレッチ器具の構成を説明する。ここで、図１は、本考案の実施形態に係る健康促進用ストレッチ器具の一例を説明する説明図である。図２は、本考案の実施形態に係る健康促進用ストレッチ器具のグリップ部の一例を示す平面図である。図３は、本考案の実施形態に係る健康促進用ストレッチ器具のグリップ部の一例を示す正面図である。図４は、本考案の実施形態に係る健康促進用ストレッチ器具のグリップ部の一例を示す左側面図である。図５は、本考案の実施形態に係る健康促進用ストレッチ器具の凸部の例を示す拡大図である。なお、図１等に示す健康促進用ストレッチ器具の構成等は一例であり、本考案は図１等に示す健康促進用ストレッチ器具等に限定されるものではない。
【００１４】
図１に示すように、本考案に係る健康促進用ストレッチ器具１００は、使用時に使用者の手に保持される２つのグリップ部１１と、長手方向に伸縮可能な紐部材１２とを有する。紐部材１２は、２つのグリップ部１１の一端を連結している。本考案に係る健康促進用ストレッチ器具１００によれば、手のひらのツボを刺激しながらストレッチ運動することができる。
【００１５】
図２乃至図４に示すように、グリップ部１１は、断面が略楕円形状の円柱である。グリップ部１１は、使用時に使用者の手に接触する表面に複数の凸部１１ａを備える。グリップ部１１は、本実施形態では、グリップ部の円柱面及びグリップ部の他端に複数の凸部１１ａを備える。
【００１６】
図５に示すように、凸部１１ａは、本実施形態では、略円錐形状である。凸部１１ａは、ストレッチ運動しているときに、グリップ部１１を握った手のひらを押圧する。これにより、本考案に係る健康促進用ストレッチ器具１００によれば、手のひらのツボを刺激しながらストレッチ運動することができる。また、グリップ部の他端の凸部１１ａを用いて、体の所望の位置（例えば足の裏）のツボを刺激してもよい。なお、本考案に係る凸部は、三角柱、円柱又はその他手のひらのツボを刺激することができる突起物であってもよい。また、本考案に係る凸部の材質は、特に限定されないが、シリコン、ゴム材料、塩化ビニル、合成樹脂又はエンジニアリングプラスチックなどを用いることができる。グリップ部１１の表面の凸部１１ａの配置は、予め設計、実験、計算などで定められる配置とすることができる。
【００１７】
なお、本考案に係るグリップ部１１の材質は、特に限定されない。グリップ部１１の材質は、シリコン、塩化ビニル、合成樹脂又はエンジニアリングプラスチックなどを用いることができる。また、グリップ部１１の形状は、円柱、角柱のものであってもよい。
【００１８】
図１に示すように、健康促進用ストレッチ器具１００の紐部材１２は、２つのグリップ部１１の一端を連結するものである。また、紐部材１２は、使用時に長手方向に伸縮して、使用者の体に負荷をかけるものである。なお、紐部材１２をグリップ部１１に固定する方法は、公知の技術を用いることができる。
【００１９】
紐部材１２は、ストレッチ運動しているときで、紐部材１２が伸長している場合に、グリップ部１１を握った手を介して、紐部材１２の収縮方向の力を体に負荷する。これにより、本考案に係る健康促進用ストレッチ器具１００によれば、使用者は所望の方向に、所望の力（紐部材１２の収縮方向の力）を体に負荷させながら、ストレッチ運動をすることができる。
【００２０】
以上のとおり、本考案に係る健康促進用ストレッチ器具によれば、グリップ部１１の表面の凸部１１ａを用いて、手のひらのツボを刺激しながらストレッチ運動をすることができる。また、本考案に係る健康促進用ストレッチ器具によれば、紐部材１２の伸縮力を用いて、所望の方向に力を負荷させながら、ストレッチ運動をすることができる。すなわち、本考案に係る健康促進用ストレッチ器具によれば、コンパクトで持ち運びすることができ、疲労度に応じて、必要なときに必要なだけ、所望の体の部位をストレッチすることができる。
【実施例】
【００２１】
図６及び図７を用いて、本考案の実施例に係る健康促進用ストレッチ器具を説明する。ここで、図６は、本考案の実施例に係る健康促進用ストレッチ器具１００Ｕの例を示す説明図である。図７は、本考案の実施例に係る健康促進用ストレッチ器具１００Ｕ（グリップ部）の使用状態の例を示す説明図である。なお、図６及び図７に示す健康促進用ストレッチ器具は一例であり、本考案は図６及び図７に示す健康促進用ストレッチ器具に限定されるものではない。
【００２２】
図６及び図７に示すように、本実施例に係る健康促進用ストレッチ器具１００Ｕは、使用時に使用者の手に保持される２つのグリップ部１１Ｕと、長手方向に伸縮可能な紐部材１２Ｕとを有する。紐部材は、長さ１．５ｍ〜０．３ｍのものを用いることができる。また、図７に示すように、本実施例に係る健康促進用ストレッチ器具１００Ｕは、使用時に、使用者にグリップ部を握られる。これにより、本考案に係る健康促進用ストレッチ器具１００Ｕによれば、手のひらのツボを刺激しながらストレッチ運動をすることができる。
【００２３】
本考案に係る健康促進用ストレッチ器具１００Ｕによれば、例えば頭部の上方、首部の後ろ、体の前方などで、ストレッチ運動をすることができる。これにより、普段使わない肩から首にかけての筋群を刺激することができ、身体能力を向上させ、伸び伸びして健康を促進することができる。
【００２４】
以上のとおり、本考案の実施例に係る健康促進用ストレッチ器具１００Ｕによれば、実施形態に係る健康促進用ストレッチ器具１００（図１）と同様の効果を得ることができる。また、本考案の実施例に係る健康促進用ストレッチ器具１００Ｕによれば、大きさが小さく、紐部材１２Ｕを用いて２つのグリップ部１１Ｕを連結しているので、丸めたりしてポケットや鞄に入れることができ、何処へでも持ち運び可能で、いつでも気軽にストレッチ運動をすることができる。
【００２５】
図８に、本考案の実施例に係る健康促進用ストレッチ器具の使用状態の他の例を示す。図８（ａ）に示すように、本考案に係る健康促進用ストレッチ器具１００Ｕによれば、頭の上、腰の下などで伸縮させることにより、二の腕の内側及び外側の筋肉に負荷を与えることができる。図８（ｂ）に示すように、本考案に係る健康促進用ストレッチ器具１００Ｕによれば、頭の上方であって後方側で伸縮させることにより、背中、肩甲骨に負荷を与えることができる。図８（ｃ）に示すように、本考案に係る健康促進用ストレッチ器具１００Ｕによれば、足の裏に引っかけて伸縮させることにより、腿、ふくらはぎの筋肉に負荷を与えることができる。図８（ｄ）に示すように、本考案に係る健康促進用ストレッチ器具１００Ｕによれば、腕の前で腕を水平にして開閉運動することにより、胸囲に負荷を与え、例えばバストアップの効果を得ることができる。
【００２６】
以上のとおり、本考案に係る実施形態及び実施例について説明したが、本考案は上記の実施形態及び実施例に限定されるものではない。すなわち、本考案は、実用新案登録請求の範囲に記載の内容に基づいて、様々に変形、変更又はその他任意に改変され得る。
【符号の説明】
【００２７】
１００，１００Ｕ  ：  健康促進用ストレッチ器具
１１，１１Ｕ  ：  グリップ部
１１ａ：  凸部
１２，１２Ｕ  ：  紐部材
【図１】
0003198487.tif 000003
【図２】
0003198487.tif 000004
【図３】
0003198487.tif 000005
【図４】
0003198487.tif 000006
【図５】
0003198487.tif 000007
【図６】
0003198487.tif 000008
【図７】
0003198487.tif 000009
【図８】
0003198487.tif 000010